(57)【要約】【課題】作業員の作業性を損なうことなく、作業員による作業内容を指導員や責任者等に伝達可能な無線コミュニケーションツールを提供すること。【解決手段】無線コミュニケーションツール１は、作業員が装着するヘルメットに取り付けられる通信機能を有するカメラ１０と、カメラ１０と近距離無線通信を行い、カメラから撮像データを取得する近距離無線通信部、及び近距離無線通信部よりも長い距離の通信が可能であり、近距離無線通信部が取得した撮像データを送信する遠距離無線通信部を備える携帯可能な送信機２０と、送信機２０が送信した撮像データを受信する携帯可能な受信機３０と、受信機３０に接続され、撮像データに基づく画像表示を行うタブレット端末５０と、を備える。【選択図】図４
2016212634.tif 000002
【特許請求の範囲】
【請求項１】
作業員が装着するヘルメットに取り付けられる通信機能を有するカメラと、
当該カメラと近距離無線通信を行い、前記カメラから撮像データを取得する近距離無線通信部、及び当該近距離無線通信部よりも長い距離の通信が可能であり、前記近距離無線通信部が取得した撮像データを送信する遠距離無線通信部を備える携帯可能な送信機と、
前記遠距離無線通信部が送信した撮像データを受信する携帯可能な受信機と、
当該受信機に接続され、前記撮像データに基づく画像表示を行う表示端末と、を備える無線コミュニケーションツール。
【請求項２】
前記近距離無線通信部は、前記カメラと無線ＬＡＮによって通信可能に接続されることを特徴とする請求項１記載の無線コミュニケーションツール。
【請求項３】
前記遠距離無線通信部は、撮像データを送信するモノポールアンテナを備え、
前記受信機は、撮像データを受信する平面アンテナを備えることを特徴とする請求項２記載の無線コミュニケーションツール。
【請求項４】
前記受信機は、複数の前記送信機に無線接続して、複数の前記送信機から撮像データを受信することを特徴とする請求項１乃至３のいずれか１項記載の無線コミュニケーションツール。
【発明の詳細な説明】
【技術分野】
【０００１】
本発明は、作業員による作業内容を、作業場所から離れた場所にいる責任者等に伝達する無線コミュニケーションツールに関する。
【背景技術】
【０００２】
従来、工事現場における工事の進捗状況や作業員の作業状況を管理するため、例えば、工事現場にカメラを設置し、カメラで撮影した画像を事務所の端末装置に表示させることによって、責任者等が現場の状況を監視する、といったことが行われている。
【０００３】
また従来、この種の技術としては、特許文献１に記載された技術がある。特許文献１によれば、土木機械や建設機械や車両に、デジタル撮影装置や携帯用電話やインターネット接続機能付き携帯用情報端末を設置し、デジタル撮影装置にて撮影した土木工事現場の現場画像を携帯用電話やインターネット接続機能付き携帯用情報端末により発信する。更に、他の工事関係者が、事務所や外出先のインターネット接続機能付き情報端末を操作することにより、自由に土木工事現場を監督や観察することが可能になる、という土木工事現場の監督システムが開示されている。
【０００４】
このシステムを用いることにより、工事責任者や工事監督者が、工事現場の状況や工事進捗状況や作業現場の状況や作業安全状況を確認しながら、作業員に対して、工事や作業に関してのアドバイスや注意等を文章、音声あるいは画像を用いて実施できるようになる。
【０００５】
ところで、工事現場あるいは各種の作業現場においては、作業経験が浅い作業員もいれば技術の習熟度が高い作業員もいる。経験が浅い作業員には、早く技術を覚えることが望まれるため、技術の習熟度が高い作業員が指導員となり、経験が浅い作業員に対して現場において様々な技術指導が行われる。経験が浅い作業員は、このような技術指導を受けることにより、技術の習熟度が高められる。
【０００６】
しかしながら、特許文献１に記載された技術によれば、例えば、作業員の手の動きが情報端末に表示されるわけではない。このため、情報端末の表示を見た指導員が、作業員に対して適確に指導できない場合がある。
【０００７】
ここで、作業員の作業内容を正確に撮影するためには、例えば、作業員が装着するヘルメットにカメラを取り付けることが考えられる。これにより、作業員目線の画像を取得することが可能になり、指導員は、作業員による作業内容を正確に把握することが可能になる。しかし、カメラの重量によって作業員の首に負担がかかり、更に、端末装置とカメラとがケーブルで接続されている場合には、そのケーブルが作業の妨げになるなど、作業員側において作業性が低下するおそれがある。
【０００８】
ところで、近年、カメラ本体の軽量化が進み、最近では、小型のタブレット型端末と無線ＬＡＮによって接続可能な小型カメラが出現し、この小型カメラで撮影した動画を小型のタブレット型端末のディスプレイに表示させることが可能になった。
【０００９】
そこで、このような軽量の小型カメラを作業員のヘルメットに取り付け、指導員が小型のタブレット型端末を所持することにより、指導員が作業員による作業内容を確認することができ、作業員に適確にアドバイスを送ることが可能になる。しかも、端末装置とカメラとを接続するケーブルがなくなり、カメラ及びケーブルが作業員における作業の妨げになることが低減される。
【先行技術文献】
【特許文献】
【００１０】
【特許文献１】特開２００２−２６９１７６号公報
【発明の概要】
【発明が解決しようとする課題】
【００１１】
しかし、無線ＬＡＮによる通信可能領域は比較的狭く、作業員が、例えば高所にいるなど指導員との距離が長い場合には無線ＬＡＮによる通信が困難になり、小型カメラで撮影した画像が指導員のタブレット型端末に送信できない場合がある。この場合、特許文献１に記載された技術のように、インターネット回線を介して、指導員のタブレット型端末に画像を送信することが考えられる。しかし、工事現場が、インターネット環境が整備されていない場所であれば、小型カメラの撮像データをタブレット型端末に送信することができない。
【００１２】
本発明は、このような問題点を解決し、作業員による作業性を損なうことなく、作業員による作業内容を指導員や責任者等に伝達可能な無線コミュニケーションツールを提供することを目的とする。
【課題を解決するための手段】
【００１３】
前記目的を達成するため、本発明は、次に記載する構成を備えている。
【００１４】
（１）  作業員が装着するヘルメットに取り付けられる通信機能を有するカメラと、当該カメラと近距離無線通信を行い、前記カメラから撮像データを取得する近距離無線通信部、及び当該近距離無線通信部よりも長い距離の通信が可能であり、前記近距離無線通信部が取得した撮像データを送信する遠距離無線通信部を備える携帯可能な送信機と、前記遠距離無線通信部が送信した撮像データを受信する携帯可能な受信機と、当該受信機に接続され、前記撮像データに基づく画像表示を行う表示端末と、を備える無線コミュニケーションツール。
【００１５】
（１）によれば、カメラと送信機の近距離無線通信部が無線通信を行うことにより、カメラと送信機とをケーブルで接続する必要がなくなり、カメラがヘルメットに取り付けられることによる作業効率の低下を防ぐことが可能になる。また、カメラと送信機とが別体であるため、カメラに送信機の機能が無い分カメラの軽量化が図れる。更に、送信機が携帯性を有することにより、例えば、カメラは頭上に配置し、送信機は腰に配置するといった使用形態が可能になり、作業員において重みがかかる部分が集中することがなくなるため、カメラ及び送信機を所持することによる作業員の負担を軽減することが可能になる。また、送信機において、近距離無線通信部が取得した撮像データを、遠距離無線通信部から無線で遠距離送信する行うことにより、近距離無線通信部の通信可能領域よりも広い領域で受信機が撮像データを受信することが可能になる。このため、送信機と受信機とが多少離れていても、カメラの撮像データを、送信機及び受信機を介して表示端末に送信可能になり、表示端末に作業員の作業内容を表示することが可能になる。
【００１６】
（２）  （１）において、前記近距離無線通信部は、前記カメラと無線ＬＡＮによって通信可能に接続されることを特徴とする無線コミュニケーションツール。
【００１７】
（２）によれば、カメラと送信機の近距離無線通信部が無線ＬＡＮ通信を行うことによって通信可能になり、カメラと送信機とをケーブルで接続する必要がなくなり、ノイズが少ない安定した撮像データをカメラから送信機に送信することが可能になる。
【００１８】
（３）  （２）において、前記遠距離無線通信部は、撮像データを送信するモノポールアンテナを備え、前記受信機は、撮像データを受信する平面アンテナを備えることを特徴とする無線コミュニケーションツール。
【００１９】
（３）によれば、インターネット環境が整備されていないようなところであっても、カメラの撮像データを受信機に送信することが可能になる。
【００２０】
（４）  （１）〜（３）において、前記受信機は、複数の前記送信機に無線接続して、複数の前記送信機から撮像データを受信することを特徴とする無線コミュニケーションツール。
【００２１】
（４）によれば、複数の送信機から送信される撮像データに基づく画像を、一つの受信機に接続された表示端末に表示することが可能になる。これにより、受信機及び表示端末を所持する者が、複数の作業員の作業内容をモニタすることが可能になる。
【発明の効果】
【００２２】
本発明によれば、作業員の作業性を損なうことなく、作業員による作業内容を指導員や責任者等に伝達可能な無線コミュニケーションツールを提供することが可能になる。
【図面の簡単な説明】
【００２３】
【図１】本発明の一実施形態における無線コミュニケーションツール１の概略構成を示すブロック図である。
【図２】送信機２０の概略構成を示すブロック図である。
【図３】受信機３０の概略構成を示すブロック図である。
【図４】本実施形態における無線コミュニケーションツール１の使用形態の一例を示す説明図である。
【図５】タブレット端末５０における表示画面の一例を示す説明図である。
【発明を実施するための形態】
【００２４】
以下、本発明の実施形態について、図面を参照しながら詳細に説明する。
図１は、本発明の一実施形態における無線コミュニケーションツール１の概略構成を示すブロック図である。
【００２５】
無線コミュニケーションツール１は、カメラ１０と、送信機２０と、受信機３０と、表示端末に相当するタブレット端末５０と、を備えている。
【００２６】
カメラ１０は、撮影レンズと、この撮影レンズから取り込んだ映像を電気的な撮像データに変換する光電変換部と、無線ＬＡＮ（Ｗｉ−Ｆｉ）からなる通信部と、を備える。カメラ１０は、無線ＬＡＮを内蔵した端末機器に無線接続し、無線ＬＡＮによって端末機器に撮像データを出力する機能を備えている。カメラ１０が出力する撮像データは、ＨＤＭＩ（登録商標）規格のケーブルによって転送可能な方式（以下、ＨＤＭＩ方式と称する）のデータである。
【００２７】
送信機２０は、無線ＬＡＮを備え、カメラ１０から無線ＬＡＮを介して取得した撮像データをＮＴＳＣ方式のデータに変換して受信機３０に無線送信するものである。
受信機３０は、送信機２０から送信されたＮＴＳＣ方式の撮像データをタブレット端末５０に送信可能な方式に変換して、受信機３０に出力するものである。
タブレット端末５０は、画像を表示する平板状のディスプレイと、この上にディスプレイおいて入力操作を行うタッチパネルとを有する携帯可能なパーソナルコンピュータである。
【００２８】
図２は、送信機２０の概略構成を示すブロック図である。送信機２０は、近距離無線通信部２２と、ＮＴＳＣコンバータ２４と、遠距離無線通信部２６と、電源２９と、を備えている。送信機２０は、近距離無線通信部２２、ＮＴＳＣコンバータ２４、遠距離無線通信部２６及び電源２９を一つの小型収納ケースに収納してなる携帯自在な機器である。
【００２９】
近距離無線通信部２２は、無線ＬＡＮを備えており、カメラ１０と無線ＬＡＮによって通信可能に接続され、撮影中の撮像データをカメラ１０から取得して外部に出力する。近距離無線通信部２２は、無線ＬＡＮを介してデータを取得するとともに、取得したデータを外部出力できる機能を有する端末であれば適用可能である。例えば、手のひらサイズの小型タブレット端末を適用することが可能である。なお、近距離無線通信部２２が出力する撮像データは、ＨＤＭＩ方式のデータである。
【００３０】
ＮＴＳＣコンバータ２４は、近距離無線通信部２２から出力される撮像データを、ＨＤＭＩ方式のデータからＮＴＳＣ方式に変換して遠距離無線通信部２６に出力するものである。
【００３１】
遠距離無線通信部２６は、送信回路２７と、送信アンテナ２８と、を備える。送信回路２７は、ＮＴＳＣコンバータ２４によってＮＴＳＣ方式に変換された撮像データを、約２４００ＭＨｚの無線周波数の搬送波に乗せて送信アンテナ２８から受信機３０に無線送信する。送信アンテナ２８には、モノポールアンテナが適用されている。
【００３２】
電源２９は、充電電池からなり、近距離無線通信部２２、ＮＴＳＣコンバータ２４及び遠距離無線通信部２６に電流を供給する。
【００３３】
図３は、受信機３０の概略構成を示すブロック図である。受信機３０は、受信アンテナ３２と、無線受信部３４と、ＵＳＢキャプチャ３６と、ＵＳＢハブ３８と、ＵＳＢＩ／Ｏ４０と、を備えている。
【００３４】
受信機３０は、無線受信部３４、ＵＳＢキャプチャ３６、ＵＳＢハブ３８及びＵＳＢＩ／Ｏ４０を筐体内に収納し、筐体外に受信アンテナ３２を取り付けてなる携帯自在な機器である。更に、受信機３０の筐体は、タブレット端末５０を取り付ける取付部（図示せず）を備えており、受信機３０は、タブレット端末５０を取り付けた状態で、携帯可能である。
【００３５】
受信アンテナ３２は、平面アンテナからなり、遠距離無線通信部２６から送信される撮像データを乗せた搬送波を受信するものである。受信アンテナ３２は、指向性を有するために、送信機２０側に向けて使用される。
【００３６】
無線受信部３４は、受信アンテナ３２が受信した搬送波を復調して撮像データを取得するものである。また、無線受信部３４は、複数の周波数チャンネルの使用が可能である。これにより、複数の送信機２０が、互いに異なる周波数チャンネルに対応する無線周波数を使用して撮像データを送信することにより、無線受信部３４は、複数の送信機２０から撮像データを取得することが可能である。
【００３７】
ＵＳＢキャプチャ３６は、無線受信部３４が取得した撮像データによる映像を、タブレット端末５０において表示可能なデータ形式に変換するものである。
【００３８】
ＵＳＢハブ３８は、ＵＳＢ機器を複数接続するためのハブである。タブレット端末５０とＵＳＢハブ３８とがＵＳＢケーブルによって接続されることにより、タブレット端末５０が受信機３０に通信可能に接続される。タブレット端末５０がＵＳＢハブ３８に接続されることにより、ＵＳＢキャプチャ３６からタブレット端末５０に、無線受信部３４が取得した撮像データに基づく映像データを出力することが可能になる。
【００３９】
ＵＳＢＩ／Ｏ４０は、ＵＳＢハブ３８に接続されるデジタル入出力ボードである。タブレット端末５０がＵＳＢハブ３８に接続されることにより、タブレット端末５０からの入力信号がＵＳＢＩ／Ｏ４０を介して無線受信部３４に送られる。具体的には、タブレット端末５０から、無線受信部３４の設定を変更する命令や、周波数チャンネルの切替命令が出力された場合、無線受信部３４は、これらの命令に従って設定変更や周波数チャンネルの切替を行う。
【００４０】
このように受信機３０は、送信機２０から取得したＮＴＳＣ方式の撮像データを、タブレット端末５０において表示可能な映像データに変換して、タブレット端末５０に出力する。これにより、タブレット端末５０には、カメラ１０が撮影した画像がリアルタイムで表示される。また、受信機３０は、タブレット端末５０の電源を使用しており、タブレット端末５０がＵＳＢハブ３８に接続されることにより、タブレット端末５０から受信機３０に電源が供給される。
【００４１】
タブレット端末５０には、ＵＳＢキャプチャ３６に対応するアプリケーションソフトがインストールされている。タブレット端末５０は、このアプリケーションソフトを実行することにより、カメラ１０が撮影した画像をディスプレイに表示する機能、タッチパネル操作によってディスプレイに表示されている画像を静止画あるいは動画として記録する機能、記録した静止画あるいは動画を再生する機能、記録した静止画あるいは動画を消去する機能、受信機３０が複数の送信機２０に無線接続されている場合に、ディスプレイに表示する作業内容の画像を切り替える機能、受信機３０における各種の設定を行う機能等を果たすようになる。
【００４２】
受信機３０における各種の設定の中に、ペアリング設定と、周波数チャンネル設定とがある。ペアリングとは、盗撮等を防ぐために、送受信する無線機同士を固定する機能である。本実施形態によれば、１つの受信機３０に対して４つの送信機２０が無線接続可能である。そこで、本実施形態の無線コミュニケーションツール１を使用する前に、タブレット端末５０のタッチパネル操作によって予め受信機３０と４つの送信機２０とのペアリング設定を行う。
【００４３】
更に、受信機３０と送信機２０との間の無線通信で使用する周波数チャンネル設定を行う。この際、タブレット端末５０のタッチパネル操作によって、４つの送信機２０においてそれぞれ異なる周波数チャンネルを設定する。これにより、４人の作業員が携帯するカメラ１０によって撮影された作業内容を、それぞれタブレット端末５０のディスプレイに表示させることが可能になる。
【００４４】
図４は、本実施形態における無線コミュニケーションツール１の使用形態の一例を示す説明図である。図４に示す例は、作業員が高所作業車のバケットに乗り込み、電柱周りの工事を行う例を示している。
【００４５】
カメラ１０は、作業員が装着するヘルメット１０２に取付、固定されている。送信機２０は携帯可能な小型に構成されており、作業員に所持される。タブレット端末５０は、受信機３０の筐体に固定されており、タブレット端末５０及び受信機３０は、他の作業員に所持される。
【００４６】
なお、図４に示す例においては、カメラ１０及び送信機２０は、作業経験が浅い作業員が所持し、タブレット端末５０及び受信機３０は、高い技術習熟度を有する指導員あるいは現場監督が所持するものとする。
【００４７】
作業員は、作業前に、カメラ１０の電源を入れ、無線ＬＡＮをオンにする。このとき、作業員は、カメラ１０の設定メニューを確認し、設定されている画像サイズを確認する。本実施形態によれば、画像サイズを３２０×２４０ピクセルとする。次に、送信機２０の主電源をオンにする。これにより、近距離無線通信部２２は自動的にオンになる。次に、近距離無線通信部２２を操作して、カメラ１０に対応するアプリケーションソフトを起動させる。起動後しばらくすると、近距離無線通信部２２に設けられている小型ディスプレイにカメラ１０の映像が表示される。これにより、カメラ１０と近距離無線通信部２２との無線接続が確立されたことを確認することができる。更に、近距離無線通信部２２がカメラ１０から取得した撮像データは、ＮＴＳＣ方式に変換され、遠距離無線通信部２６から無線送信される。
【００４８】
一方、指導員は、受信機３０とタブレット端末５０とがＵＳＢケーブルによって接続されていることを確認した後、タブレット端末５０の電源をオンにし、更に、受信機３０の電源をオンにする。次に、指導員は、タブレット端末５０を操作して、受信機３０から出力される映像データに基づく画像表示を行うためのキャプチャソフトを起動させる。更に、タブレット端末５０によって受信機３０を操作するための受信機操作ソフトを起動させる。これらのソフトウェアが起動することにより、送信機２０と受信機３０との無線接続が確立され、カメラ１０からの映像がタブレット端末５０のディスプレイに表示される。なお、映像の表示状態が良くない場合には、受信アンテナ３２が作業員を向くように調整する。
【００４９】
そして、指導員は、タブレット端末５０に表示される作業内容を見ながら、作業員に対して直接声をかけて指導を行ったり、あるいはタブレット端末５０を操作して、タブレット端末５０に表示される画像を静止画あるいは動画としてタブレット端末５０に保存し、作業後に、撮影した静止画あるいは動画を作業員に見せながら技術指導を行う。
【００５０】
また、指導員は、タブレット端末５０を操作して、周波数チャンネルを切り替えることにより、表示画像を別の作業員の作業内容の画像に切り替えることができる。また、画像サイズが３２０×２４０ピクセルとしてカメラ１０と送信機２０と通信速度を下げることによって、送信機２０と受信機３０との無線通信においては、無線ＬＡＮと比較して長距離の通信が可能になる。
【００５１】
図５は、タブレット端末５０における表示画面の一例を示す説明図である。タブレット端末５０の起動後の表示画面５０ａには、キャプチャソフト及び受信機操作ソフトを起動させるためのアイコン５１、５２が表示されている。指導員が、アイコン５１を操作することにより、表示画面５０ａにウィンドウ５３が表示される。指導員が、アイコン５２を操作することにより、表示画面５０ａにウィンドウ５４が表示される。
【００５２】
ウィンドウ５３には、モニタ画面５３ａ、録画操作ボタン５３ｂ、停止操作ボタン５３ｃ、静止画操作ボタン５３ｄが表示される。モニタ画面５３ａには、受信機３０から出力される映像データに基づく画像、すなわちカメラ１０が撮影している画像が表示される。録画操作ボタン５３ｂは、モニタ画面５３ａに表示されている画像の録画を開始させるボタンであり、停止操作ボタン５３ｃは、録画を停止させるボタンである。静止画操作ボタン５３ｄは、モニタ画面５３ａに表示されている画像を静止画として記録するボタンである。録画操作ボタン５３ｂ及び停止操作ボタン５３ｃの操作によって録画したデータ及び静止画操作ボタン５３ｄの操作によって取り込んだデータは、予め設定した文字列に日付を自動付加したものをファイル名として、タブレット端末５０に保存される。
【００５３】
ウィンドウ５４には、通常画面として、メニューボタン５４ａ、スナップボタン５４ｂ、上ボタン５４ｃ、下ボタン５４ｄ、左ボタン５４ｅ、右ボタン５４ｆ、セットボタン５４ｇが表示される。
【００５４】
メニューボタン５４ａは、受信機３０の設定メニュー画面を表示させるボタンである。前述したペアリング設定や周波数チャンネル設定は、この設定メニューを介して行われる。スナップボタン５４ｂは、受信機３０で取得中の画像を静止画として受信機３０に記録するボタンである。スナップボタン５４ｂは、スナップショットを記録する記録モードと再生を行う再生モードのいずれかに切り替えるボタンである。上ボタン５４ｃ、下ボタン５４ｄ、左ボタン５４ｅ、右ボタン５４ｆは、十字に配置されており、その中央にセットボタン５４ｇが配置されている。設定メニューにおいて、上ボタン５４ｃ、下ボタン５４ｄ、左ボタン５４ｅ、右ボタン５４ｆはカーソル移動あるいは各種の選択入力の操作に用いられ、セットボタン５４ｇは決定する操作に用いられる。
【００５５】
また、ウィンドウ５４が通常画面の場合に、上ボタン５４ｃ及び下ボタン５４ｄは画質の切替に用いられ、上ボタン５４ｃの操作により高画質に、下ボタン５４ｄの操作により低画質に設定される。ここで、送信機２０と受信機３０との無線通信が途切れそうになると、自動的に低画質に切り替わる。これにより、画質は低下するものの、タブレット端末５０に対して映像データを送り続けることが可能になる。送信機２０と受信機３０との無線通信の品質が復旧した場合には、自動的に高画質に切り替わる。なお、上ボタン５４ｃ及び下ボタン５４ｄの操作で設定した画質より高画質には切り替わらない。
【００５６】
また、ウィンドウ５４が通常画面の場合に、左ボタン５４ｅ、右ボタン５４ｆは周波数チャンネルの切替に用いられ、左ボタン５４ｅの操作により周波数チャンネルの番号が大きくなり、右ボタン５４ｆの操作により周波数チャンネルの番号が小さくなる。左ボタン５４ｅ及び右ボタン５４ｆの操作によって周波数チャンネルを切り替えることにより、この周波数チャンネルに対応する送信機２０からの撮像データに基づく画像が、タブレット端末５０のディスプレイに表示される。
【００５７】
また、ウィンドウ５４が通常画面の場合に、セットボタン５４ｇはスナップショットの記録の実行に用いられる。セットボタン５４ｇの操作によってスナップショットが実行され、受信機３０に記録される。受信機３０に記録されたスナップショットを再生する場合には、スナップボタン５４ｂを操作して、再生モードに切り替える。これにより、モニタ画面５３ａに新たなウィンドウが表示され、そこにスナップショットが表示される。そして、左ボタン５４ｅ及び右ボタン５４ｆの操作により、スナップショットの表示が切り替わる。
【００５８】
以上説明したように構成された本実施形態によれば、カメラ１０と送信機２０の近距離無線通信部２２が無線ＬＡＮによって通信を行うことにより、カメラ１０と送信機２０とをケーブルで接続する必要がなくなり、カメラ１０がヘルメット１０２に取り付けられることによる作業効率の低下を防ぐことが可能になる。また、カメラ１０と送信機２０とが別体であるため、カメラ１０に送信機２０の機能が無い分カメラ１０の軽量化が図れる。更に、送信機が携帯性を有することにより、例えば、カメラ１０は頭上に配置し、送信機２０は腰に配置するといった使用形態が可能になり、作業員において重みがかかる部分が集中することがなくなるため、カメラ１０及び送信機２０を所持することによる作業員の負担を軽減することが可能になる。また、送信機２０において、近距離無線通信部２２が取得した撮像データを、遠距離無線通信部２６から無線で遠距離送信する行うことにより、近距離無線通信部２２の通信可能領域よりも広い領域で受信機３０が撮像データを受信することが可能になる。このため、送信機２０と受信機３０とが多少離れていても、カメラ１０の撮像データを、送信機２０及び受信機３０を介してタブレット端末５０に送信可能になり、タブレット端末５０のディスプレイに作業員の作業内容を表示することが可能になる。
【００５９】
また本実施形態によれば、カメラ１０と送信機２０の近距離無線通信部２２が無線ＬＡＮ通信を行うことによって通信可能になり、ノイズが少ない安定した撮像データをカメラ１０から送信機２０に送信することが可能になる。
【００６０】
また本実施形態によれば、遠距離無線通信部２６は、撮像データを送信するモノポールアンテナ（送信アンテナ２８）を備え、受信機３０は、撮像データを受信する平面アンテナ（受信アンテナ３２）を備えることにより、インターネット環境が整備されていないようなところであっても、カメラ１０の撮像データを受信機３０に送信することが可能になる。
【００６１】
また本実施形態によれば、受信機３０は、複数の送信機２０に無線接続して、複数の送信機２０から撮像データを受信するため、複数の送信機２０から送信される撮像データに基づく画像を、一つの受信機３０に接続されたタブレット端末５０のディスプレイに表示することが可能になる。これにより、複数の作業員の作業内容をモニタすることが可能になる。
【００６２】
以上、本発明の実施形態について説明したが、本発明の実施形態は上述した実施形態に限るものではない。例えば、タブレット端末５０に無線ＬＡＮを内蔵し、カメラ１０と無線ＬＡＮで接続可能にする。更に、タブレット端末５０に、カメラ１０に対応するアプリケーションソフトをインストールする。そして、このアプリケーションソフトを実行することにより、タブレット端末５０が直接的に撮像データを取得して、ディスプレイに表示させてもよい。これにより、例えば、指導員が作業員の直下にいるような場合には、送信機２０のモノポールアンテナからの電波が、指導員の受信機３０に届かない場合がある。しかし、タブレット端末５０に無線ＬＡＮが内蔵されていることにより、指導員が送信機２０の電源を切るように指示し、タブレット端末５０の電源を投入することにより、指導員は、カメラ１０の撮影画像を視認することができる。
【符号の説明】
【００６３】
１  無線コミュニケーションツール
１０  カメラ
２０  送信機
２２  近距離無線通信部
２４  ＮＴＳＣコンバータ
２６  遠距離無線通信部
２７  送信回路
２８  送信アンテナ
２９  電源
３０  受信機
３２  受信アンテナ
３４  無線受信部
３６  ＵＳＢキャプチャ
３８  ＵＳＢハブ
４０  ＵＳＢＩ／Ｏ
５０  タブレット端末
５０ａ  表示画面
５１、５２  アイコン
５３、５４  ウィンドウ
５３ａ  モニタ画面
５３ｂ  録画操作ボタン
５３ｃ  停止操作ボタン
５３ｄ  静止画操作ボタン
５４ａ  メニューボタン
５４ｂ  スナップボタン
５４ｃ  上ボタン
５４ｄ  下ボタン
５４ｅ  左ボタン
５４ｆ  右ボタン
５４ｇ  セットボタン
１０２  ヘルメット
【図１】
2016212634.tif 000003
【図２】
2016212634.tif 000004
【図３】
2016212634.tif 000005
【図４】
2016212634.tif 000006
【図５】
2016212634.tif 000007